(57)【要約】      （修正有）【課題】キャノピーの屋根を利用し、ソーラーパネルを取り付け、掃除が楽に行え、かつ、台風時等において下方に移動させることにより破損等を防止するソーラーパネル付キャノピーを提供する。【解決手段】柱枠本体の上部に設ける上下動可能な屋根本体に、ソーラーパネルを設けてなるソーラーパネル付きキャノピーであって、屋根本体を柱枠本体に対して軸止してなり、作動具にて屋根本体を上下動させてなることを特徴とするソーラーパネル付きキャノピー。【選択図】図１
0003155901.tif 000002
【実用新案登録請求の範囲】
【請求項１】
柱枠本体の上部に設ける上下動可能な屋根本体に、ソーラーパネルを設けてなるソーラーパネル付きキャノピーであって、屋根本体を柱枠本体に対して軸止してなり、作動具にて屋根本体を上下動させてなることを特徴とするソーラーパネル付きキャノピー。
【請求項２】
作動具が、滑車とワイヤーとハンドルで構成されることを特徴とする請求項１記載のソーラーパネル付きキャノピー。
【請求項３】
ワイヤーの先端を屋根本体に固設してなることを特徴とする請求項１又は２記載のソーラーパネル付きキャノピー。
【考案の詳細な説明】
【技術分野】
【０００１】本考案は、主に、キャノピーの屋根にソーラーパネルを付設してなることを特徴とするソーラーパネル付キャノピーに関するものである。
【背景技術】
【０００２】従来の技術として同様なものはないが、例えば給油所の防火塀に、ソーラーパネルを取り付ける。このソーラーパネルは、防火塀に植設された支柱に回動自在に取り付けられ、ストッパー杆により回動位置で保持されるものがある。（特許文献１参照）
【先行技術文献】
【特許文献１】  特開平９−１３２１２３号  公報
【考案の概要】
【考案が解決しようとする課題】
【０００４】  上記従来の技術は、給油所における防火塀にソーラーパネルを設けたもので、キャノピーにおける屋根の機能を有するものではない。
よって、本考案はキャノピーの屋根を利用し、ソーラーパネルを取り付け、作動具を使用し、夏場や冬場の角度を変更できると共に、掃除が楽に行え、かつ、台風時等において下方に移動させることにより破損等を防止するソーラーパネル付キャノピーを提供するものである。
【課題を解決するための手段】
【０００５】本考察は、柱枠本体の上部に設ける上下動可能な屋根本体に、ソーラーパネルを設けてなるソーラーパネル付きキャノピーであって、屋根本体を柱枠本体に対して軸止してなり、作動具にて屋根本体を上下動させる。作動具が、滑車とワイヤーとハンドルで構成される。ワイヤーの先端を屋根本体に固設してなるものである。
【考案の効果】
【０００６】１）、キャノピーにおけるソーラーパネルを設けた屋根本体を作動具により上下可動可能に設けることにより、夏場や冬場の太陽の角度に合わせて効率よく位置設定でき、ソーラーパネルの表面の汚れを掃除する場合も便利であり、かつ、台風等、風が強い日等は屋根本体（ソーラーパネル）を下方に移動させることができ、破損を防止することができる。
２）、作業具のハンドルを回転させるだけで、屋根本体を上下動させることができ、誰でも簡単に作業を行うことができる。
３）、ワイヤーの先端を屋根本体に固設させることにより、屋根の自重より下方に移動させることができ、楽である。
４）、特に第２実施例のソーラーパネルは第１実施例のソーラーパネルより大きく形成できる。
【図面の簡単な説明】
【０００７】
【図１】本考案の第１実施例を示すソーラーパネル付キャノピーの正面図。
【図２】本考案の第１実施例を示すソーラーパネル付キャノピーの側面図。
【図３】本考案の第１実施例を示すソーラーパネル付キャノピーの平面図。
【図４】本考案の第１実施例を示すソーラーパネル付キャノピーの使用例１の正面図。
【図４】本考案の第１実施例を示すソーラーパネル付キャノピーの使用例１の正面図。
【図５】本考案の第１実施例を示すソーラーパネル付キャノピーの使用例２の正面図。
【図６】本考案の第２実施例を示すソーラーパネル付キャノピーの正面図。
【図７】本考案の第２実施例を示すソーラーパネル付キャノピーの側面図。
【図８】本考案の第２実施例を示すソーラーパネル付キャノピーの平面図。
【図９】本考案の第２実施例を示すソーラーパネル付キャノピーの使用例の正面図。
【考案を実施するための形態】
【０００８】１は、ソーラーパネル付キャノピーである。
２は、方形状の基板２ａに、正面椅子型の柱枠２ｂを２本立設してなる柱枠本体である。
３は、上記柱枠本体２の柱枠２ｂ・２ｂ間に設けてなる屋根本体で、上下動可能に作動すべく後部にピンＰにて軸止すると共に、上面にソーラーパネル４を設けてある。
５は、作動具で、滑車５ａとワイヤー５ｂとハンドル５ｃにより構成され、滑車５ａは柱枠２ｂの頂部に設け、ワイヤー５ｂの先端を屋根本体３の先端に固設すると共に、後端を柱枠２ｂの前下部に設けたハンドル５ｃに巻きつけてなる。
なお、柱枠本体２の上面・側面・背面にはシートＳＴで雨よけしている。
【０００９】上記ソーラーパネル付キャノピー１の使用例について説明する。
このソーラーパネル付キャノピー１は、例えば、ガソリンスタンド内の敷地Ｓの所要位置に設置する。つぎに、その季節に合わせた効率のよい太陽の位置に合わせるべく、ハンドル５ｃを回転させることにより、ワイヤー５ｂが滑車５ａを介して作動し、屋根本体３（ソーラーパネル４）を上下動させて調整できるものである。
なお、基板２ａ上には、給油機Ｋやその他必要な設備（消火器収納箱、電気自動車用充電機等）を設けるものである。
【００１０】また、ソーラーパネル４に汚れが付着し、発電効率が悪いと思われたら、ハンドル５ｃを回転させることにより下方にソーラーパネル４を移動させ、作業者ＳＧがタオルＴ等で汚れを取り除くことができるものである。
なお、台風時等においてもソーラーパネル４を下げ保護するものである。
【００１１】つぎに、第２実施例のソーラーパネル付キャノピーについて説明する。
２１は、ソーラーパネル付キャノピーである。
２２は、方形状の基板２２ａに、門型の柱枠２２ｂを２本立設してなる柱枠本体である。
２３は、上記柱枠本体２２の柱枠２２ｂ・２２ｂ間に設けてなる屋根本体で、上下動可能に作動すべく中央寄りにピンＰ１にて軸止すると共に、上面にソーラーパネル２４を設けてある。
２５は、上記作動具５と同様に、滑車２５ａとワイヤー２５ｂとハンドル２５ｃとから構成され、ワイヤー２５ｂの先端を屋根本体２３の後端に固設すると共に、後端を柱枠２２ｂの後下部に設けたハンドル２５ｃに巻き付け、柱枠２２ｂの後頂部に設け滑車２５ａを介して作動する作動具２５である。
なお、柱枠本体２２の上面・側面・背面にはシートＳＴ１で雨よけしている。
【００１２】上記ソーラーパネル付キャノピー２１の使用例について説明する。
ハンドル２５ｃを回転させることにより、ワイヤー２５ｂが滑車２５ａを介して屋根本体２３（ソーラーパネル２４）を、ピンＰ１を軸に前方へ移動し倒すことにより、作業者ＳＧ１がモップＭ等を使用し、ソーラーパネル２４の汚れを落とすことができるものである。
【００１３】なお、上記各実施例において、ソーラーパネルで発電した電気の使用用途としては、例えば防犯カメラやライト等、特に限定することなく使用するものである。
また、各部位の大きさ等においても必要に応じて決めればよい。
【符号の説明】
【００１３】１−−−ソーラーパネル付キャノピー
２−−−柱枠本体
２ａ−−基板
２ｂ−−柱枠
３−−−屋根本体
４−−−ソーラーパネル
５−−−作動具
５ａ−−滑車
５ｂ−−ワイヤー
５ｃ−−ハンドル
２１−−ソーラーパネル付キャノピー
２２−−柱枠本体
２２ａ−基板
２２ｂ−柱枠
２３−−屋根本体
２４−−ソーラーパネル
２５ａ−滑車
２５ｂ−ワイヤー
２５ｃ−ハンドル
Ｋ−−−給油機
Ｍ−−−モップ
Ｐ−−−ピン
Ｐ１−−ピン
Ｓ−−−敷地
ＳＧ−−作業者
ＳＧ１−作業者
ＳＴ−−シート
ＳＴ１−シート
Ｔ−−−タオル
【図１】
0003155901.tif 000003
【図２】
0003155901.tif 000004
【図３】
0003155901.tif 000005
【図４】
0003155901.tif 000006
【図５】
0003155901.tif 000007
【図６】
0003155901.tif 000008
【図７】
0003155901.tif 000009
【図８】
0003155901.tif 000010
【図９】
0003155901.tif 000011
【手続補正書】
【提出日】平成21年9月9日(2009.9.9)
【手続補正１】
【補正対象書類名】実用新案登録請求の範囲
【補正対象項目名】全文
【補正方法】変更
【補正の内容】
【実用新案登録請求の範囲】
【請求項１】
柱枠本体の上部に設ける上下動可能な屋根本体に、ソーラーパネルを設けてなるソーラーパネル付きキャノピーであって、屋根本体を柱枠本体に対して軸止してなり、作動具にて屋根本体を上下動させてなることを特徴とするソーラーパネル付きキャノピー。
【請求項２】
作動具が、滑車とワイヤーとハンドルで構成されることを特徴とする請求項１記載のソーラーパネル付きキャノピー。
【請求項３】
ワイヤーの先端を屋根本体に固設してなることを特徴とする請求項２記載のソーラーパネル付きキャノピー。
【手続補正２】
【補正対象書類名】明細書
【補正対象項目名】０００７
【補正方法】変更
【補正の内容】
【０００７】
【図１】本考案の第１実施例を示すソーラーパネル付キャノピーの正面図。
【図２】本考案の第１実施例を示すソーラーパネル付キャノピーの側面図。
【図３】本考案の第１実施例を示すソーラーパネル付キャノピーの平面図。
【図４】本考案の第１実施例を示すソーラーパネル付キャノピーの使用例１の正面図。
【図５】本考案の第１実施例を示すソーラーパネル付キャノピーの使用例２の正面図。
【図６】本考案の第２実施例を示すソーラーパネル付キャノピーの正面図。
【図７】本考案の第２実施例を示すソーラーパネル付キャノピーの側面図。
【図８】本考案の第２実施例を示すソーラーパネル付キャノピーの平面図。
【図９】本考案の第２実施例を示すソーラーパネル付キャノピーの使用例の正面図。